(57)【特許請求の範囲】
【請求項１】
ヘッドバンドの両端に左右一対のヘッドホンユニットが支持されていて、所定部位に受信手段，電源としての２次電池および上記２次電池の充電端子を備えるワイヤレスのヘッドホンと、送信手段，充電手段および上記充電端子に接触して上記充電手段から出力される充電電流を上記２次電池に与える給電端子を備える送信機とを含むヘッドホン装置において、
上記送信機は、上面に上記各ヘッドホンユニットの下方の一部分が嵌合される一対の受け凹部が形成された支持台を有し、上記各受け凹部内には、上記ヘッドホンユニットの外周面の下方の一部分に当接する第１支持面と、上記ヘッドホンユニットの背面の下方の一部分に当接する第２支持面とが形成され、いずれか一方の上記第１支持面に上記給電端子が配置され、上記第１支持面の各々に上記ヘッドホンユニットの一部分に弾性的に係合するフックが配置されており、上記第１支持面の上記フックが配置される部分に開口部が形成され、上記フックがＵ字状に形成され、上記フックの基端部が上記開口部の一辺に一体に連設され、上記フックの自由端側の鉤部が上記開口部から上記第１支持面上に突出しており、
上記受け凹部内に嵌合される上記ヘッドホンユニットの外周面の下方の一部分に、上記充電端子が上記給電端子と接触可能に配置されているとともに、上記ヘッドホンユニットの背面とは反対側の内側面の下方の一部分に、上記フックと係合する溝部が形成されており、上記ヘッドホンユニットの背面が上記第２支持面に押さえられた状態で上記溝部が上記フックと係合することを特徴とするヘッドホン装置。
【発明の詳細な説明】
【技術分野】
【０００１】
本発明は、受信手段を有し２次電池で動作するワイヤレスのヘッドホンと、送信手段および充電手段を有する送信機とを含むヘッドホン装置に関し、さらに詳しく言えば、不使用時にヘッドホンを送信機の充電手段で充電することができるヘッドホン装置に関するものである。
【背景技術】
【０００２】
ワイヤレスのヘッドホンは、ケーブルを引き回す煩わしさがないため、近年市場で好まれている。一方で、ワイヤレスのヘッドホンは、電源として電池を必要とする。１次電池は消耗したら交換しなければならないため、通常、充電が可能な２次電池が用いられているが、２次電池の場合には充電器が必要となる。
【０００３】
送信機とは別に充電器を揃えることは、ワイヤレスのヘッドホンの周辺機器が増え雑然となるばかりでなく、充電器を紛失するおそれもある。そのため、送信機に充電器を組み込み、不使用時には、ヘッドホンを送信機にセットすることにより充電ができるようにした提案が例えば特許文献１，２でなされている。
【０００４】
特許文献１に記載の発明（従来例１）では、充電手段を有する赤外線送信機の筐体を縦型とし、その上面に給電端子を配置するとともに、ヘッドホン側には、そのヘッドバンド（ほぼ逆Ｕ字状のバンド）の中央部分に充電端子を設ける。
【０００５】
ヘッドホン不使用時に、ヘッドバンドの中央部分を赤外線送信機の縦型筐体の上面に引っ掛けるように載置することにより、充電端子と給電端子とが接触し、ヘッドホンの２次電池が充電される。
【０００６】
特許文献２に記載の発明（従来例２）では、ヘッドホンが備えるヘッドホンユニットの筐体側に充電端子と被係止部とを設ける。これに対して、送信機の充電台側には、ヘッドホンユニットの一部分を回転可能に支持する受け面を形成し、その受け面内に給電端子と係止部とを設ける。
【０００７】
ヘッドホン不使用時に、ヘッドホンユニットを充電台の受け面に載置し、その被係止部を係止部に係止させると、ヘッドホンの自重によりヘッドホンユニットに回転モーメントが発生し、充電端子と給電端子とが圧着する。これにより、ヘッドホンの２次電池が充電される。
【０００８】
【特許文献１】特許第２７７０３８９号公報
【特許文献２】特開２００４−１１２８５８号公報
【発明の開示】
【発明が解決しようとする課題】
【０００９】
上記従来例１，２のいずれによっても、別途充電器を用意することなく、ヘッドホンを充電器兼送信機上にセットすることにより、ヘッドホンに内蔵されている２次電池を充電することができる。
【００１０】
しかしながら、上記従来例１の場合、ヘッドバンドの中央部分が送信機の縦型筐体の上面で天秤状に支持されるため不安定である。また、給電端子と充電端子との接点部分にヘッドバンドの全重量がかかるため、その接点部分に保護対策を講ずる必要がある。
【００１１】
上記従来例２の場合、ヘッドホンユニットが充電台の広い受け面に支持されるため、安定した状態が保たれるが、セットする際に問題がある。すなわち、ヘッドホンユニット側の被係止部と充電台側の係止部とを確実に噛み合わせないと、ヘッドホンが自重による回転モーメントで回転し、充電台が脱落してしまうことになる。
【００１２】
したがって、本発明の課題は、受信手段を有し２次電池で動作するワイヤレスのヘッドホンを充電手段を有する送信機にセットして充電するにあたって、格別な注意を払うことなく、簡単な操作で確実に充電できるようにすることにある。
【課題を解決するための手段】
【００１３】
上記課題を解決するため、本発明は、ヘッドバンドの両端に左右一対のヘッドホンユニットが支持されていて、所定部位に受信手段，電源としての２次電池および上記２次電池の充電端子を備えるワイヤレスのヘッドホンと、送信手段，充電手段および上記充電端子に接触して上記充電手段から出力される充電電流を上記２次電池に与える給電端子を備える送信機とを含むヘッドホン装置において、上記送信機は、上面に上記各ヘッドホンユニットの下方の一部分が嵌合される一対の受け凹部が形成された支持台を有し、上記各受け凹部内には、上記ヘッドホンユニットの外周面の下方の一部分に当接する第１支持面と、上記ヘッドホンユニットの背面の下方の一部分に当接する第２支持面とが形成され、いずれか一方の上記第１支持面に上記給電端子が配置され、上記第１支持面の各々に上記ヘッドホンユニットの一部分に弾性的に係合するフックが配置されており、上記第１支持面の上記フックが配置される部分に開口部が形成され、上記フックがＵ字状に形成され、上記フックの基端部が上記開口部の一辺に一体に連設され、上記フックの自由端側の鉤部が上記開口部から上記第１支持面上に突出しており、上記受け凹部内に嵌合される上記ヘッドホンユニットの外周面の下方の一部分に、上記充電端子が上記給電端子と接触可能に配置されているとともに、上記ヘッドホンユニットの背面とは反対側の内側面の下方の一部分に、上記フックと係合する溝部が形成されており、上記ヘッドホンユニットの背面が上記第２支持面に押さえられた状態で上記溝部が上記フックと係合することを特徴としている。
【発明の効果】
【００１８】
本発明によれば、その特徴的な構成として、上記送信機は、上面に上記各ヘッドホンユニットの一部分が嵌合される一対の受け凹部が形成された支持台を有し、上記受け凹部内に上記給電端子と、上記ヘッドホンユニットの一部分に弾性的に係合するフックとを設け、上記受け凹部内に嵌合される上記ヘッドホンユニットの一部分に、上記充電端子を上記給電端子と接触可能に配置するとともに、上記フックと係合する溝部を形成したことにより、上記ヘッドホンユニットを上記受け凹部内に嵌合すると、上記フックが弾性変形して上記溝部内に係合し上記ヘッドホンユニットを確実に捉えるとともに、上記充電端子と上記給電端子とが接触する。したがって、溝部の位置などに格別な注意を払うことなく、ただ単に上記ヘッドホンユニットを上記受け凹部内に嵌合させるだけで、安定した状態が得られ確実に充電することができる。
【００１９】
また、上記受け凹部内に上記ヘッドホンユニットの外周面の一部分に当接する第１支持面と、上記ヘッドホンユニットの背面の一部分に当接する第２支持面とを形成したことにより、上記ヘッドホンユニットのより安定した支持状態が得られる。
【００２０】
また、上記フックを上記第１支持面に配置するようにしたことにより、上記第２支持面により上記溝部が上記フックから外れようとする動きを封じることができ、上記溝部と上記フックの係合をより確実なものとすることができる。
【００２２】
また、上記第１支持面に開口部を形成し、上記フックをＵ字状としてその基端部を上記開口部の一辺に連設し、自由端側の鉤部を上記開口部から上記第１支持面上に突出させるようにしたことにより、上記フックの上記受け凹部内への突出量を低く抑えながら、上記ヘッドホンユニットに対する適度なクリック力（弾性力）を得ることができる。
【発明を実施するための最良の形態】
【００２３】
次に、図１ないし図４により、本発明の実施形態について説明する。図１（ａ）は本発明のヘッドホン装置に含まれるヘッドホンと送信機とを分離して示す斜視図，図１（ｂ）はその要部拡大図，図２（ａ）は上記ヘッドホンユニットを示す斜視図，図２（ｂ）はその要部拡大図，図３は送信機を示す平面図，図４は本発明の要部拡大断面図である。
【００２４】
図１に示すように、このヘッドホン装置は、ワイヤレスのヘッドホン１０と送信機２０とを備える。通信媒体としては、通常のワイヤレスヘッドホンと同じく赤外線が用いられてよい。ヘッドホン１０は、ほぼ逆Ｕ字状を呈するヘッドバンド１１を有し、ヘッドバンド１１の両端には、ハンガー部材１１ａ，１１ａを介して左右一対のヘッドホンユニット１３Ｌ，１３Ｒが支持される。
【００２５】
この例では、ハンガー部材１１ａ，１１ａの部分に、人体の頭部に対する装着感を良好とするためのバネ付勢された支持翼板１２，１２が取り付けられ、また、受信手段としての赤外線受光部１１ｂ，１１ｂを備える。なお、左右を特に区別する必要がない場合には、単にヘッドホンユニット１３とする（ヘッドホンユニットに含まれる各構成要素についても同様）。
【００２６】
ヘッドホンユニット１３は、外周面１４１，背面１４２および内側面１４３（図４参照）を有する円筒状のハウジング１４を備え、図示しないが、ハウジング１４内には振動板と固定極とを含む静電型の電気音響変換器が収納される。ハウジング１４の内側面１４３の中央部分が放音面となっていて、内側面１４３側にはイヤーパッド１５が装着される。
【００２７】
ヘッドホンユニット１３Ｌ，１３Ｒのうち、この例では左側のヘッドホンユニット１３Ｌのハウジング１４Ｌ内に、上記電気音響変換器や復調器などの駆動電源として用いられる図示省略の２次電池を備える。そのため、図２（ａ）（ｂ）に示すように、ハウジング１４Ｌは、図示しない電池収納部の充電回路から引き出された一対の充電端子１６，１６を備える。
【００２８】
本発明の好ましい態様において、充電端子１６，１６は、ハウジング１４Ｌの外周面１４１Ｌのうちの下方部分（後述する送信機２０側の受け凹部２１に嵌合される部分）に配置される。なお、設計の都合によっては、充電端子１６，１６を右側のヘッドホンユニット１３Ｒが備えるハウジング１４Ｒの外周面１４１Ｒのうちの下方部分に設けてもよい。
【００２９】
また、図２（ａ）（ｂ）に示すように、ハウジング１４Ｌには、後述する送信機２０側のフック２５と係合する溝部１７が設けられる。この溝部１７は、充電端子１６，１６と同じく、ハウジング１４Ｌの内側面１４３Ｌの下方部分に配置される。
【００３０】
また、この溝部１７は、図４に示すように、右側ヘッドホンユニット１３Ｒのハウジング１４Ｒの内側面１４３Ｒの下方部分にも配置される。すなわち、ハウジング１４Ｌ側の溝部１７と、ハウジング１４Ｒ側の溝部１７は、その各々の下方部分に対向的に配置される。溝部１７は、樋状や球状などの凹み（穴）もしくは貫通孔のいずれであってもよい。
【００３１】
送信機２０は、ヘッドホン１０を支持する支持台２０ａを有し、支持台２０ａの上面には、ヘッドホンユニット１３Ｌ，１３Ｒの下方の一部分が嵌合される一対の受け凹部２１Ｌ，２１Ｒが形成される。なお、左右を特に区別する必要がない場合には、単に受け凹部２１とする（受け凹部に含まれる各構成要素についても同様）。図示しないが、支持台２０ａ内には、送信手段と充電手段とが設けられる。
【００３２】
送信手段は、変調器および送信出力部とを含む公知のものであってよく、支持台２０ａには、図３に示すように、上記送信出力部により駆動される赤外線送信部２７が設けられる。この赤外線送信部２７より放射される赤外線は、ヘッドホン１０の赤外線受光部１１ｂ，１１ｂにて受光されたのち、図示しない復調器により復調され、その復調信号により上記電気音響変換器が駆動される。充電手段も公知のものであってよい。
【００３３】
図３と図４を参照して、受け凹部２１は、ヘッドホンユニット１３の外周面１４１の下方の一部分に当接する第１支持面２２と、ヘッドホンユニット１３の背面１４２の下方の一部分に当接する第２支持面２３とを含むすり鉢状に形成される。
【００３４】
この例において、受け凹部２１Ｌ，２１Ｒは、ヘッドバンド１１により互いに接触するように閉じられている不使用状態（図１（ａ）の状態）にあるヘッドホンユニット１３Ｌ，１３Ｒを受け入れるような間隔に配置されているが、ヘッドホンユニット１３Ｌ，１３Ｒ間を若干広げた状態で受け入れるように、互いに離されて配置されてもよい。
【００３５】
この例では、上記したように、左側のヘッドホンユニット１３Ｌの外周面１４１Ｌに充電端子１６，１６が設けられているため、これに対応して、左側の受け凹部２１Ｌの第１支持面２２に、上記充電手段と接続された給電端子２４，２４が上記充電端子１６，１６と接触可能に配置される。
【００３６】
また、左側の受け凹部２１Ｌの第１支持面２２Ｌと、右側の受け凹部２１Ｒの第１支持面２２Ｒとに、ヘッドホンユニット１３Ｌ，１３Ｒの各々に形成されている上記溝部１７に弾性的に係合するフック２５が設けられる。
【００３７】
フック２５は、第１支持面２２に対してリブ状に立ち上がるように一体に形成されてもよいが、フック２５の受け凹部２１内への突出量を低く抑えながら、ヘッドホンユニット１３の溝部１７に対する適度なクリック力（弾性力）を得るには、図１（ｂ）に示すように、第１支持面２２に開口部２６を形成し、フック２５の自由端側の鉤部２５１を開口部２６から第１支持面２２上に突出させることが好ましい。
【００３８】
このフック２５を支持台２０ａに対して一体に形成するには、図４に示すように、フック２５をＵ字状として、そのＵ字部分が支持台２０ａの内部に位置するようにフック２５の基端部２５２を開口部２６の一辺に連設し、フック２５の自由端側の鉤部２５１を開口部２６から第１支持面２２上に突出させればよい。これによれば、ヘッドホンユニット１３に対するクリック力は、Ｕ字部分の長さにより決められる。
【００３９】
ヘッドホン１０の不使用時に２次電池を充電するには、図１（ａ）に示すように、ヘッドホン１０を送信機２０の支持台２０ａに載せて、ヘッドホンユニット１３Ｌ，１３Ｒを支持台２０ａの受け凹部２１Ｌ，２１Ｒ内に嵌合させる。
【００４０】
これにより、ヘッドホンユニット１３Ｌ，１３Ｒの溝部１７，１７が、受け凹部２１Ｌ，２１Ｒのフック２５，２５と係合するとともに、ヘッドホンユニット１３Ｌ側の充電端子１６，１６と受け凹部２１Ｌの給電端子２４，２４とが接触し、上記２次電池が上記充電手段により充電される。
【００４１】
このとき、ヘッドホンユニット１３Ｌ，１３Ｒの背面１４２Ｌ，１４２Ｒが、受け凹部２１Ｌ，２１Ｒの第２支持面２３Ｌ，２３Ｒにて押さえられるため、溝部１７がフック２５から外れようとする動きを封じることができ、溝部１７とフック２５の係合をより確実なものとすることができる。ヘッドホン１０を使用する場合には、ヘッドホン１０を支持台２０ａから持ち上げて、溝部１７とフック２５の係合を解けばよい。
【００４２】
以上説明したように、本発明によれば、特に位置合わせをようすることなく、ヘッドホン１０を送信機２０の支持台２０ａ上に置くだけで、ヘッドホンユニット１３Ｌ，１３Ｒが支持台２０ａの受け凹部２１Ｌ，２１Ｒに確実に捕捉され、安定した状態でヘッドホン１０の２次電池を充電することができる。
【図面の簡単な説明】
【００４３】
【図１】（ａ）本発明のヘッドホン装置に含まれるヘッドホンと送信機とを分離して示す斜視図，（ｂ）その要部拡大図。
【図２】（ａ）上記ヘッドホンユニットを示す斜視図，（ｂ）その要部拡大図。
【図３】上記送信機を示す平面図。
【図４】本発明の要部拡大断面図。
【符号の説明】
【００４４】
１０  ヘッドホン
１１  ヘッドバンド
１１ａ  赤外線受光部
１３（１３Ｌ，１３Ｒ）  ヘッドホンユニット
１４  ハウジング
１４１（１４１Ｌ，１４１Ｒ）  外周面
１４２（１４２Ｌ，１４２Ｒ）  背面
１４３（１４３Ｌ，１４３Ｒ）  内側面
１５  イヤーパッド
１６  充電端子
１７  溝部
２０  送信機
２０ａ  支持台
２１（２１Ｌ，２１Ｒ）  受け凹部
２２（２２Ｌ，２２Ｒ）  第１支持面
２３（２３Ｌ，２３Ｒ）  第２支持面
２４  給電端子
２５  フック
２５１  鉤部
２５２  基端部
２６  開口部
２７  赤外線送信部
【図１】
0004644566.tif 000002
【図２】
0004644566.tif 000003
【図３】
0004644566.tif 000004
【図４】
0004644566.tif 000005